(57)【要約】遠隔購入電子支払い口座のための遠隔購入コントローラ（２００）は、１人又はそれ以上の認可されたユーザ（２０２）に関連する絶対的な又は周期的な限度を有する。遠隔購入取引が、任意の関連する当座貸越マージンを含む、要求するユーザの利用できる限度を超えるときには、直接的な無効の承認により又は他のユーザの限度に対して遠隔購入取引額の少なくとも一部分を割り当てることにより、ある形式の限度の無効が求められる。限度がそのままの場合には、遠隔購入取引は、取引が自動的に実行されるか又は、要求するユーザによる再承認のために提出される時の、次の期間の先頭まで留保される。
2005505838.tif 000002
【特許請求の範囲】
【請求項１】
遠隔購入を監視し且つ制御するシステムであって、
少なくとも１つの通信システムに選択的に結合された家庭アクセス装置を有し、
前記家庭アクセス装置を含む前記少なくとも１つの通信システムを介して遠隔購入を制御する遠隔購入コントローラを有し、前記遠隔購入コントローラは、
遠隔購入取引を実行する試みを検出するのに応じて、前記遠隔購入取引は遠隔購入限度に基づいて完了されるべきかどうかを決定し、
前記遠隔購入取引は完了されるべきではないことを決定するのに応じて、後続の期間中の処理について前記遠隔購入取引を留保する、システム。
【請求項２】
前記遠隔購入コントローラは、前記遠隔購入取引が遠隔購入限度に基づいて完了されるべきかどうかを決定するのに、前記遠隔購入取引は、現在の期間についての前記遠隔購入限度の残りの利用できる差額を超える額を含むかどうかを決定する、請求項１に記載のシステム。
【請求項３】
前記遠隔購入コントローラは、前記遠隔購入取引が遠隔購入限度に基づいて完了されるべきかどうかを決定するのに、前記遠隔購入取引で使用されるべき口座に関連する複数の認可されたユーザのいずれが前記遠隔購入取引実行しようとしているかを識別し、そして、前記現在の期間についての識別されたユーザについての遠隔購入限度の残りの利用できる差額を確認する、請求項２に記載のシステム。
【請求項４】
前記遠隔購入コントローラは、前記遠隔購入取引が前記現在の期間についての前記識別されたユーザの遠隔購入限度の残りの利用できる差額を超える額を含むということを決定するのに応じて、
前記遠隔購入取引額が、現在の期間についての前記識別されたユーザの遠隔購入限度の残りの利用できる差額と前記識別されたユーザの遠隔購入限度に関連する当座貸越しマージンを加えた額を超えるかどうかを決定し、
前記現在の期間についての前記遠隔購入限度についての又は遠隔購入取引についての無効を求め、
複数の認可されたユーザのもう一人の者は、他のユーザについての遠隔購入限度の前記現在の期間についての残りの利用できる差額に対して割り当てられるべき前記遠隔購入取引額の一部分を許可するかどうかを決定する、
請求項３に記載のシステム。
【請求項５】
遠隔購入を監視し且つ制御する方法であって、
遠隔購入取引を実行する試みを検出するのに応じて、前記遠隔購入取引は遠隔購入限度に基づいて完了されるべきかどうかを決定し、
前記遠隔購入取引は完了されるべきではないことを決定するのに応じて、後続の期間中の処理について前記遠隔購入取引を留保する、方法。
【請求項６】
前記遠隔購入取引が遠隔購入限度に基づいて完了されるべきかどうかを決定するステップは、更に、
前記遠隔購入取引は、現在の期間についての前記遠隔購入限度の残りの利用できる差額を超える額を含むかどうかを決定する、請求項５に記載の方法。
【請求項７】
前記遠隔購入取引が遠隔購入限度に基づいて完了されるべきかどうかを決定するステップは、更に、
前記遠隔購入取引で使用されるべき口座に関連する複数の認可されたユーザのいずれが前記遠隔購入取引実行しようとしているかを識別し、
前記現在の期間についての識別されたユーザについての遠隔購入限度の残りの利用できる差額を確認する、請求項６に記載の方法。
【請求項８】
前記遠隔購入取引が遠隔購入限度に基づいて完了されるべきかどうかを決定するステップは、更に、
前記遠隔購入取引が前記現在の期間についての前記識別されたユーザの遠隔購入限度の残りの利用できる差額を超える額を含むということを決定するのに応じて、
前記遠隔購入取引額が、現在の期間についての前記識別されたユーザの遠隔購入限度の残りの利用できる差額と前記識別されたユーザの遠隔購入限度に関連する当座貸越しマージンを加えた額を超えるかどうかを決定し、
前記現在の期間についての前記遠隔購入限度についての又は遠隔購入取引についての無効を求め、
複数の認可されたユーザのもう一人の者は、他のユーザについての遠隔購入限度の前記現在の期間についての残りの利用できる差額に対して割り当てられるべき前記遠隔購入取引額の一部分を許可するかどうかを決定する、
請求項７に記載の方法。
【請求項９】
更に、
前記後続の期間中に完了のために前記遠隔購入取引を自動的に提出する、請求項７に記載の方法。
【請求項１０】
更に、
ユーザに、前記後続の期間中に前記遠隔購入取引の再提出のために前記遠隔購入取引を開始することを促す、請求項７に記載の方法。
【発明の詳細な説明】
【０００１】
本発明は、一般的には、遠隔購入に向けられており、特に、１つ又はそれ以上の通信システムをわたり遠隔購入を監視し且つ制限することに、向けられている。
【０００２】
最新の”ホームショッピング”システムは、商品をユーザにテレビジョン放送又はインターネットを介してのいずれかで提示し、ユーザが、取引を完了させるのにクレジットカード及び同様な電子支払いシステムを使用して物を購入することを可能とする。テレビジョン又はインターネットのいずれかを介して売りに出された物の購入のために、購入者はクレジットカード又は他の口座情報を提供するために電話センタへ電話しそして、支払いを認可する。代わりに、インターネット又は他のインターラクティブシステムを介して売りに出された物について、購入者は、処理設備への電子送信のために、クレジットカード又は口座番号を入力しうる。処理設備により提供される安全は、口座情報の秘密を保護する。
【０００３】
あるユーザは、”遠隔”購入（即ち、インターネットを介した又は、テレビジョン放送からの購入）を追跡又は監視したいと考える。例えば、あるユーザは、衝動買いが非常に簡単に完了するのは不安であり、又は、息子、娘又は、家族のような、特定の認可された購入者による購入を制限又は限定したいと考える。ユーザが遠隔購入をする全ての売主が購入履歴を提供する場合でさえも、ユーザは、関連する期間中の全ての売主からの取引を確認しそして、それらを手動で合計する。所定の期間の関連する消費情報は、直接的に又は簡単な方法で見直すためにユーザにより単純に簡単に入手はできない。更に、ユーザにより望まれる限度又は制限は、強制されることができない。
【０００４】
従って、１つ又はそれ以上の通信システムを介しての遠隔購入をわたり追跡しそして制御することを可能とするシステムについての技術が必要である。
【０００５】
従来技術の上述の欠点と取り組むために、本発明の主な目的は、通信ネットワークで使用するために、１人又はそれ以上の認可された口座ユーザに関連する絶対的な又は周期的な限度を有する遠隔購入電子支払い口座の遠隔購入コントローラを提供することである。遠隔購入取引が、任意の関連する当座貸越しマージンを含む、要求するユーザについての利用できる限度を超えている場合には、明白な無効の承認により又は他のユーザに対する遠隔購入取引額の少なくとも一部の割当てにより、限度のある形式の無効が求められる。限度が残っている場合には、遠隔購入取引は、取引が自動的に実行されるか又は要求するユーザにより再度承認のために提出されるかのいずれかであるときの、次の期間の開始まで保持される。
【０００６】
前述したものは、むしろ広く本発明の特徴と技術的な利点を概説しそれにより、当業者は続く本発明の詳細な説明をよりよく理解しうる。本発明の請求項の主題を構成する、本発明の追加の特徴と利点は、以下に記載される。当業者は、本発明の同じ目的を実行する他の構造を修正し又は設計するための基礎として、開示された概念と特定の実施例を容易に使用しうることは、理解しよう。当業者は、そのような等価な構成は広い形式の本発明の精神と範囲から離れないことも理解しよう。
【０００７】
本発明の詳細な説明を行う前に、本特許文書で使用する用語とフレーズについての定義を示すことが有利である：用語”有する”及び”含む”はその派生語と共に限定なしに包含することを意味し；用語”又は”は意味及び／又はを含み；フレーズ”関連する”及び”それに関連する”はその派生語と共に、含む、含まれる、相互に接続する、含まれる、接続する、結合する、通信する、共同する、インターリーブする、並列する、近似する、結合する、有する、の特性を有する、等を意味し；用語”コントローラ”は、ハードウェア、ファームウェア、ソフトウェア又は、その少なくとも２つの組み合わせに関わらず、少なくとも１つの動作を制御する、任意の装置、システム又はその部分、を意味する。任意の特定のコントローラに関連する機能性は、集中化され又は、局所的に又は遠隔的に、分散されうることに注意すべきである。ある単語又はフレーズについての定義は、本特許文書をとして提供され、当業者は、そのように定義された単語及びフレーズの以前又は将来の使用と共に多くの場合に適用されることを理解する。
【０００８】
本発明とその利点の更に完全な理解のために、添付の図面を参照して以下の説明についての参照がなされ、ここで、同じ番号は同じものを指す。
【０００９】
発明の詳細な説明
以下に説明する、図１から３A及び３Bと、本特許文書で本発明の原理を記載するのに使用される種々の実施例は、説明のためのみであり、本発明の範囲を限定するものと考えるべきではない。当業者は、本発明の原理は、任意の適するように配置された装置で実行されうることは理解されよう。
【００１０】
図１は、本発明の一実施例に従って、遠隔購入監視及び制御システムが実行される通信ネットワークを示す。通信ネットワーク１００は、パーソナルコンピュータ又はセットトップボックスのようなインターネットアクセス装置１０１ａ、テレビジョン、ディジタル放送（衛星、地上又は、ケーブル）受信機のようなビデオ受信機１０１ｂ、ディジタルビデオカセットレコーダ（ＶＣＲ）又は、磁気ディスクレコーダ等のような放送記憶装置、電話、ページャ、テキストメッセージ装置又はその組み合わせ１０１ｃ、地上線又は無線及びいずれか又は、そのようなシステムの任意の組み合わせを含みうる、家庭アクセス装置１０１を含む。家庭アクセス装置１０１は、複数のシステム（例えば、コンピュータ１０１ａとビデオ受信機１０１ｂ）を有し、そのようなシステムは、相互に接続されたそして、共同作用する方法で動作する。
【００１１】
家庭アクセス装置１０１は、インターネット１０２及び／又は、公衆交換電話網（ＰＳＴＮ）、（音声通信、ページ、テキストメッセージ又は、３つの混合のための）無線ネットワーク又は、それらの組み合わせを含みうる、電話ネットワーク１０３のような、１つ又はそれ以上の通信システムに接続されている。家庭アクセス装置１０１は、放送設備１０４からの番組を復号そして、例えば、電話ネットワーク１０３を介して放送設備１０４と通信もできる。
【００１２】
家庭アクセス装置１０１は、遠隔購入（例えば、”ホームショッピング”）を行うためにユーザにより使用され、そこでは、購入取引の少なくとも注文と支払い部分は、通信システム１０２及び／又は１０３を介して実行される。購入されたサービス（例えば、”ペイ−パー−ビュー”番組又はウェブサイトアクセス）は、１つ又はそれ以上の通信システム１０２及び１０３を介して又は、放送設備１０４から送られうる。購入された商品は、典型的には、米国郵便又は、他の商用小包配達サービスを介して、別々に送られる。
【００１３】
ユーザがそこから購入をする売主は、一般的には、１つ又は両方の通信システム１０２及び１０３に接続された、電話バンク１０５又はインターネットサービス１０６のような設備を有し、そして、放送設備１０４からの番組伝送（例えば、”情報コマーシャル”）を行う。通信ネットワーク１００は、例示の実施例では、家庭アクセス装置１０１のユーザへ遠隔購入監視と制御を選択的に提供し容易にするサーバ１０７及び、電子支払い取引を完了させる支払い処理設備１０８も有し、両者は１つ又は両方の通信システム１０２及び１０３に接続されている。以下に詳細に記載される、遠隔購入監視及び制御システムは、通信ネットワーク１００内で実行される。
【００１４】
図２は、本発明の一実施例に従った、遠隔購入監視及び制御システムの構成要素を示すブロック図である。遠隔購入コントローラ２００は、家庭アクセス装置１０１に接続されたサーバ１０７上の家庭アクセス装置１０１内か又は、家庭アクセス装置１０１とサーバ１０７の両方で分散された方法（クライアント−サーバ又は、ピア−ツー−ピア）で、実行される。家庭アクセス装置１０７内では、遠隔購入コントローラ２００は、インターネットアクセス装置１０１ａとビデオ受信機１０１ｂの両方に関するモジュールを含み、好ましくは、サーバ１０７上の遠隔購入コントローラ２００の任意の部分と共に互いに共同作用の方法で動作する。
【００１５】
家庭アクセス装置１０１内の遠隔購入コントローラ２００の任意の部分は、家庭アクセス装置１０１についての制御機能と共に集積されるのが好ましい。例えば、遠隔購入コントローラ２００は、インターネットアクセス装置１０１ａ上のブラウザ内又は、ビデオ受信器１０１ｂについての制御ソフトウェア内に集積されたクライアント機能を含んでもよい。代わりに、遠隔購入コントローラ２００は、家庭アクセス装置１０１の他の機能と共同して動作する”プラグ−イン”又は同様な別個のプログラムの形式をとってもよい。
【００１６】
遠隔購入コントローラ２００の動作は、遠隔購入を完了しようとする試みの検出によりトリガされる。そのような試みは、例えば、遠隔購入を要求するのと関連して、クレジットカード又はての口座情報２０１のような、支払い情報を供給するためにユーザが遠隔購入コントローラ２００を呼出すことにより、検出されうる。遠隔購入コントローラ２００内に記憶された口座情報２０１は、認可された個人により入力され又は修正されるとき以外は、ユーザに表示されないのが好ましい。遠隔購入を容易にするために、口座情報２０１は、表示される又はユーザに通信されることなく、売主設備１０５／１０６又は処理設備１０８へ転送されるのが好ましい。
【００１７】
遠隔購入を完了させる試みは、代わりに、ユーザにより入力された講座情報２０１を、ユーザ入力を監視しながら、決定することにより、又は、承認のために処理設備１０８へ又は対応する口座の電子取引の他の処理へ、売主により、口座情報の提出によりトリガされた処理設備１０８からの通知により、検出されうる。個々に又は組み合わせてこれらの及び他の同様な又は関連する動作のように、ユーザインターフェース内の”購入”、”提出”又は”ＯＫ”制御も、遠隔購入コントローラ２００の動作をトリガする。
【００１８】
遠隔購入を完了させる試みを検出すると、遠隔購入コントローラ２００は、そのユーザについての予算又は限度が超えられるかどうかを決定する。複数のユーザ２０２は、口座情報２０１により識別された口座で購入を行うように認可されうる。例えば、両親は、子供を認可されたユーザとして設定し、子供は続いて、口座情報２０１が、子供に開示されることなしに、遠隔購入コントローラ２００で遠隔購入を完了させることができる。各ユーザは、対応する限度を有し、これは、絶対的な限度又は、時間依存の（例えば、月の）限度でもよい。口座情報２０１が入力されるときに特に可能化された能力を有する、１人又はそれ以上のユーザにより、又は、可能化された（又は、他のユーザを修正する特別な認可が与えられた）すでにそのような能力を有するユーザより後の時点で、全てのユーザ２０２についての限度が設定され、修正され又は、無効にされる。
【００１９】
ユーザ２０２は、ログイン名、又は指紋，顔の特徴又は、他の生物測定的識別子のような、唯一の識別子により識別され、これは、更に、電子メールアドレス、インスタントメッセージアドレス又は、携帯電話又はページャ番号のような、それと関連された接続情報を有する。各ユーザ２００に関連する限度は、通知しきい値（即ち、限度が近づいていることを対応するユーザが通知される限度額）、正又は負の繰り越し（効果的に”節約し”そして関連する限度を増加する又は、次の期間の予算額に対して”借りる”ために、未使用の額又は複数の予算期間を過度の消費を累積し能力）、及び”当座貸越”額（所定の期間内にユーザが限度を超えた額）のような追加の特徴の組も有しうる。繰り越しと当座貸越の特徴は、限度に対してある弾力性を提供する。現在の期間についての各ユーザによる使用された額の移動和も、ユーザの識別子に関連して維持される。
【００２０】
遠隔購入コントローラ２００は、少なくともユーザ、日付及び各遠隔購入取引額を含みそして、好ましくは、各遠隔購入取引についての売主の識別及び商品又はサービスを含む、購入履歴２０３内のユーザ２０２の各々による全ての遠隔購入を追跡する。購入履歴２０３は、ユーザが、対応する遠隔購入限度に近づいている又は超えるときを決定するために使用される。移動和が各期間中に各ユーザについて維持されるか又は、取引がユーザにより現在の期間内に現在までに使用された額を決定するために、現在の期間内のユーザによる前の購入物を識別するために、各遠隔購入の試みで見直されるかのいずれかである。
【００２１】
購入履歴２０３は、ユーザへ伝達のために（例えば、ケーブル又は衛星請求書、インターネットアクセス請求書又は、電話請求書と共に）、報告、電子又は印刷のいずれかを発生することにより、周期的（例えば、月ごと）に順序正しくまとめられた消費情報を提供するために使用される。請求書が家族により見直される時に、費用は、手近な目に見える場所で、入手できる。
【００２２】
１人又はそれ以上のユーザ２０２も、要求で購入履歴２０３を見直す能力が与えられ、例えば、ユーザにより、期間により、額により（ユーザ当りの合計又は個々の遠隔購入により）、のいずれかで記憶され且つ提示される。各ユーザは、好ましくは、そのユーザによる遠隔購入に関連する購入履歴２０３の一部分を見直す能力が与えられ、そして、１人又はそれ以上のユーザも、残りのユーザによる又は他の規定されたユーザ２０２による遠隔購入に関連する購入履歴２０３の一部分を見直す能力が与えられる。
【００２３】
要求された遠隔購入が、要求するユーザに（過度に）その限度を超えることを発生しない場合には、遠隔購入コントローラ２００は、売主設備１０５／１０６へ又は支払い処理設備１０８へ口座情報２００を提供することにより遠隔購入を容易にする。上述のように、口座情報２００は、クレジット、デビット又は、チェックカード番号及び関連するカード所有者番号（名前と請求書発送住所）及び失効日、電子引き出しのための口座番号及び個人識別番号（ＰＩＮ）又は、同様な電子支払い情報等を有する。伝送中の口座情報２００の暗号化は、安全の目的のために好ましく、（口座情報２００を入力したユーザでも）ユーザへの表示なしの伝送も好ましい。
【００２４】
遠隔購入を完了するのに、遠隔購入コントローラ２００は、単に、購入を完了しそして、購入履歴２０３内に取引情報を記録し、又は、代わりに、要求するユーザへ、適切な場合には、限度額と当座貸越マージント共に、現在の期間中のそのユーザによる前の取引の概要を提示しうる。そのような概要は、それぞれのユーザに購入要求を”承認する”ことを可能とする又は要求するために、遠隔購入を完了する前に又は、それぞれのユーザへ関連する限度の状態を知らせるために購入の完了後に又は、その両方で、提示されうる。
【００２５】
遠隔購入コントローラ２００が、要求された遠隔購入は、要求されたユーザへ、ユーザの限度（絶対的に及び／又は当座貸越マージンのいずれか）を超えることを起こす場合には、遠隔購入は遠隔購入コントローラ２００によりすぐには完了されない。対応するユーザについてのユーザ定義の設定に依存して、遠隔購入コントローラ２００は、単に、要求された遠隔購入取引を無視又は捨てるか、又は、要求された遠隔購入取引が、他のユーザ２０２による限度無効承認を未決定にし又は後続の期間中に完了するために、（留保取引リスト２０４内で）”留保”されうる。
【００２６】
１人又はそれ以上のユーザ２０２は、個々の遠隔購入取引について又は特定の期間中に、他のユーザに関連する限度を、無効にする認可を与えられる。これに関して、通知情報２０５（電子メール又は、瞬時メッセージアドレス又は、電話番号）は、要求された遠隔購入取引についての無効承認を求めるために遠隔購入コントローラ２００により直接的に採用され、又は、売主又は支払い処理企業に適切なメッセージが供給され、それにより、それぞれのユーザは遠隔購入コントローラ２００内の無効承認を入力するように交信されうる。
【００２７】
代わりに、留保取引２０４は、単に、次の期間の最初の日の間に処理されるために又は、ユーザが十分な予算額を累積するときに提出するために、留保される。次の期間の自動処理について又はユーザの限度が購入額を超えるときに、又は、次の期間中に対応するユーザへ提示のために又はユーザが要求された遠隔購入を行うかどうかを考えるために一旦購入額がそのユーザへ有効となると、ユーザは、各留保取引を特別注文化することを可能とされ得る。留保取引２０４は、１人又はそれ以上の他の規定されたユーザにより見直すためにアクセス可能であり、これは、要求するユーザの限度を無効にする能力も有し又は、見直すユーザ自身及び限度に対して購入額を”請求させる”。
【００２８】
同様に、ユーザ２０２の１人又はそれ以上のサブセットは、それぞれの限度又は予算額をプールする又は”共有”する能力が与えられる。サブセット内のユーザは、共有が自動的に許されるか又は、限度が共有されているユーザによる通知と承認でのみかどうかを、特別注文化する能力が与えられる。ユーザは、合計に関連する限度の特定の額又は一部分又は、共有が除外された特定の期間又は期間の一部分を、保持する能力も与えられる。１人のユーザの限度の共有された部分は、次の期間について予算額がリセットされるときに、”借りている”ユーザの限度から、自動的に、”返済”される。
【００２９】
特定の例では、４人家族は、遠隔購入に関する出費を予算を立て且つ制御するために遠隔購入コントローラ２００を使用し、両親は月当り３００ドルの絶対的な限度を集合的に割当て、をして各々の子供は、当座貸越マージンの５５ドルと共に月当り３０ドルが割当てられる。特定の月に既に自分の予算額の２７ドルを使用しそして９ドルのみの有効な（前の月の正の繰越し）を有する１人の子供が、１５．９９ドルプラス配達のコストのコンパクトディスクを購入したい場合には、遠隔購入コントローラ２００は、購入価格が利用で切る限度プラス当座貸越マージンを超えているので、すぐには購入を完了させない。
【００３０】
遠隔購入コントローラ２００は、最初に、ユーザの限度及び当座貸越マージンを要求された購入が超えているかどうかに関わらず自動的に又は、ユーザの限度及び当座貸越マージンを超えているときにのみ、のいずれかに、購入を要求するユーザへその月についての前の購入の概要を提示する。ユーザは、購入要求を取り消す又は肯定する機会を与えられうる。
【００３１】
ユーザの限度と当座貸越マージンを超える購入要求が肯定される場合には、遠隔購入コントローラ２００は、次に、１人又は両方の両親に通知し、両親は特定の要求された購入について娘の限度を無効にし又は、それらの限度に（完全に又は部分的に）割当てられるべき取引についての購入価格を許すかいずれかである。
【００３２】
両親により（予め定められた期間内に又は断定的に断られることによる）いずれの動作もとられない場合には、遠隔購入コントローラ２００は、購入を要求するユーザが限度の共有協定を有する、遠隔購入を要求するユーザの兄に通知する。兄は、彼の限度から妹が”借りる”ことを能動的に承認又は拒否し、又は、彼の限度の１０ドルまでのみ、所定の月の最後の週の間のみ借りることが可能と規定しうる。
【００３３】
両親が限度を無効にする又は購入価格を共有することを断りそして、兄が妹からの限度の一部分を”貸す”ことを断る場合には、取引は、（自動的に又は要求するユーザの承認で）次の月の最初の日まで遠隔購入コントローラ２００により単に留保される。その時点で、遠隔購入コントローラ２００は単純に、自動的に、（利用できる限度の差額が十分であると仮定し）取引を完了し又は、電子メール又はインスタントメッセージにより購入要求のユーザへ再度通知し、そのユーザが要求された購入を取り消すか又は肯定することを可能とし又は要求する。肯定された場合には、遠隔購入コントローラ２００は要求された購入を完了する。
【００３４】
図３Aと３Bは、本発明の一実施例に従った、遠隔購入監視及び制御の処理の高レベルのフローチャートを示す。示された処理は、家庭アクセス装置、遠隔購入サーバ、又は、それらの組み合わせ内で実行する遠隔購入コントローラにより行われる。図３Aに示された処理部分３００は、遠隔購入コントローラにより制御された電子支払い口座を使用する遠隔購入の開始で始まる（ステップ３０１）。
【００３５】
処理は最初に、要求された遠隔購入は、要求するユーザが関連する限度を超える結果となるかどうかを決定する（ステップ３０２）。そのようでない場合には、口座情報は、要求された遠隔購入に関連する電子支払いの処理に対して提出される（ステップ３０３）。そのようである場合には、しかしながら、そのような無効が可能な場合には、要求するユーザの限度の無効要求される（ステップ３０４）。
【００３６】
限度の無効が有効でない又は承認されない場合（ステップ３０５）には、口座の他の認可されたユーザによる遠隔購入取引額の”共有”又は、遠隔購入取引額の少なくとも一部分を、他のユーザの限度に対して割り当て割れることを許す、口座の他の認可されたユーザからの”貸し付け”について検査がなされる（ステップ３０６）。そのような共有又は貸付が受け入れられない場合（ステップ３０７）には、予め定められた基準に基づいて自動的に又は他のユーザから断定的に、要求された購入取引は、要求されたユーザの限度がリセットされ又は増加されるときの、次の期間まで留保される（ステップ３０８）。この処理は、他の遠隔購入が開始されるまで、何も実行しなくなる（ステップ３０９）。
【００３７】
図３Bに示された処理部分３１０は、所定の年の新たな月の最初の日のような新たな期間の開始で始まる（ステップ３１１）。処理は、最初に、現在の価格を決定するために遠隔購入コントローラにより再度開始されたと考えられる、任意の留保取引についての額が、要求するユーザの利用できる限度を超えるかどうかを決定する（ステップ３１２）。そのような場合には、要求するユーザは、要求するユーザについての利用できる差額を仮定すれば、もしあれば、いずれの遠隔購入が実行されるべきかを選択することが促される（ステップ３１３）。それら自身でユーザの限度を超える個々の取引は、消去されるのを除いて、ユーザ選択に対して、”灰色にされる”。
【００３８】
留保取引額が、ユーザの限度を超えない場合には、ユーザは、選択的に、遠隔購入を実行する継続する希望を肯定する、遠隔購入を再承認する又は再提出することが促される（ステップ３１４）。再提出が承認されない場合（ステップ３１５）には、取引は選択的に捨てられる。そのようでない場合には、遠隔購入に関連する電子支払いについての口座情報は、遠隔購入コントローラにより送信され（ステップ３１６）、そして処理は、次の期間の開始まで、何も実行しなくなる（ステップ３１７）。
【００３９】
本発明は、クレジットカードのような電子支払い口座を使用する遠隔購入を介しての柔軟性のある制御を可能とする。特に、現在関連する限度を超えうる遠隔購入は、関連する限度がリセットされた又は増加された後の、後続の期間中の処理について留保されうる。
【００４０】
本発明は完全に機能的な通信ネットワーク、家庭アクセス装置及び／又はサーバの状況で記載されているが、当業者は、本発明の機構の少なくとも一部分は、種々の形式の命令を含む機械使用可能な媒体の形式で配信されることができ、本発明は、配信を実際に行うのに使用される特定の形式の信号受け媒体に関わらず等しく適用されることは、理解しうることに注意することは重要である。機械使用可能な媒体の例は、読出し専用メモリ（ＲＯＭ）又は、消去可能な、電気的プログラマブル読出し専用メモリ（ＥＥＰＲＯＭ）のような、不揮発性、ハード符号化形式の媒体、フレキシブルディスク、ハードディスクドライブのような記録可能な形式の媒体及び、コンパクトディスク読出し専用メモリ（ＣＤ−ＲＯＭ）又はディジタルバーサタイルディスク（ＤＶＤ）、及び、ディジタル及びアナログ通信リンクのような伝送形式媒体を含む。
【００４１】
本発明を詳細に説明したが、当業者は、ここに開示された、本発明の、種々の変更、代用、変形、向上、微妙な差異、徐徐なる変化、より劣る形式、代替、修正、改善及びノックオフは、広い形式の本発明の精神と範囲から離れることなしに、なされうることは理解されよう。
【図面の簡単な説明】
【００４２】
【図１】本発明の一実施例に従って、遠隔購入監視及び制御システムが実行される通信ネットワークを示す。
【図２】本発明の一実施例に従った、遠隔購入監視及び制御システムの構成要素を示すブロック図である。
【図３Ａ】本発明の一実施例に従った、遠隔購入監視及び制御の処理の高レベルのフローチャートを示す。
【図４Ｂ】本発明の一実施例に従った、遠隔購入監視及び制御の処理の高レベルのフローチャートを示す。
【図１】
2005505838.tif 000003
【国際公開パンフレット】
2005505838.tif 000004
2005505838.tif 000005
2005505838.tif 000006
2005505838.tif 000007
2005505838.tif 000008
2005505838.tif 000009
2005505838.tif 000010
2005505838.tif 000011
2005505838.tif 000012
2005505838.tif 000013
2005505838.tif 000014
2005505838.tif 000015
2005505838.tif 000016
2005505838.tif 000017
2005505838.tif 000018
2005505838.tif 000019
2005505838.tif 000020
【国際調査報告】
2005505838.tif 000021
2005505838.tif 000022